Podtech/llm-jp-corpus-v4-ja_patent huggingface dataset:
(57)【要約】【課題】従来の発電機は、発電コイルが磁束を切る際、相応のトルクが必要であるため、他の動力機関から動力を得る必要があるため、エネルギー代価が高くつく欠点があった。又、装置も大型となり、製造コストも高くついた。又、環境の汚染、公害問題、地球温暖化など引き起こす原因ともなっている。この装置の開発により、それらの諸問題を改善出来る。【解決手段】磁石１と発電コイル２を回転軸３を軸に回転する断磁円盤４を挟んで、適当な間隔を設けて、あらかじめ対峙させておき、回転軸３に動力を伝えて、断磁円盤４を回転させると断磁円盤４に設けた磁束通過穴５と盲の部分が交互に向かうため、磁束の通過と遮断が繰り返し、継続的に行われるので発電コイル２に起電力を生じる。【選択図】図１
2018110480.tif 000002
【特許請求の範囲】
【請求項１】
磁石１と発電コイル２を回転軸３を軸に回転する断磁円盤４を挟んで適当な間隔を設けて、あらかじめ対峙した状態で固定し、回転軸３に動力を加えて断磁円盤４を回転させることで起電力を発生する発電装置の構造。
【請求項２】
粉末状の主として鉄などの常磁性体材と主として蒼鉛などの反磁性体材を混ぜて、接着剤を加えて練り合わせた混合物１０を、円板状に加工した網形線維材９を芯にして、成形加工を施した構造を持ち、外周部には盲となる部分と交互に向かうように有口径の磁束通過穴５を設けた請求項１記載の発電装置で用いる断磁円板。
【請求項３】
発電コイルの鉄芯に磁石６を用い、又発電コイル本体７をリング状磁石８の内部に納める構造にし、磁石６、８の同磁極の中にあるように位置を定める磁石固定金具１２のソケット部の長さで調節する構造を持つ、請求項１記載の発電装置で用いる発電コイル周辺装置の構造。
【発明の詳細な説明】
【技術分野】
【０００１】  この発明は、従来の発電法と異なり、断磁円盤を用いて発電する方法に関するものである。
【背景技術】
【０００２】  従来、発電機の構造は、発電コイルが直接、磁束を切る構造であるため、それに伴う相応のトルクが必要で、エネルギー代価が高くつく欠点があった。
【発明の概要】
【発明が解決しようとする課題】
【０００３】  エネルギー代価を抑え、環境を害せず、低コストで電気を供出する。
【課題を解決するための手段】
【０００４】  磁石１と発電コイル２を回転軸３によって回転する断磁円盤４を挟んで適当な間隔を設けて、あらかじめ対峙させて固定しておき、回転軸３に動力をかけて、断磁円盤４を回転させると、断磁円盤に有口径の穴５によって磁石からの磁束をコイル側に通過させたり、盲の部分で磁束を遮断したりするので発電コイル２に起電力を発生させる仕組みである。
【発明の効果】
【０００５】  従来の発電機のように直接、磁束を切る構造ではないため、その分、大きな動力を必要としないで済み、また構造も比較的簡単でメンテナンス性もよく、製造コストも安く出来る利点がある。
【図面の簡単な説明】
【０００６】
【図１】本案の平面図
【図２】本案の斜視構成図
【図３】本案の斜視図
【図４】断磁円板の斜視構成図
【図５】発電コイルの斜視構成図
【図６】本案の斜視全体図
【発明を実施するための形態】
【０００７】  以下、本発明を実施するための形態について説明する。
磁石１の両極面、それぞれに、その磁束を受けて起電する発電コイル２を回転軸３を軸に回転する断磁円盤４を挟んで適当な間隔を持たせてあらかじめ対峙した状態で固定する。
【０００８】  次に回転軸３に動力をかけて断磁円盤４を回転させると円盤外周部に設けた磁束通過穴５の位置が、対峙した磁石１と発電コイル２の部分を回転によって通過する際、磁束の供給が行われるが、盲の部分を通過する際は、断磁板の作用によって磁束の通過は遮断される。これが繰り返し起こることで発電コイルに起電力が生じるのである。
【０００９】  次に断磁円盤４の構造と作用について説明する。
この断磁円盤の構造は、常磁性体材と反磁性体材を組み合わせることで、断磁効果を持たせたものである。常磁性体の引き合う力と反磁性体の反発する力とが互いに打ち消し合って断磁円盤に吸収され断磁効果を生み出すのである。
発電効率を上げるため断磁円盤は厚みを出来る限り薄くする事と高速回転に耐えうるものでなくてはならない。
常磁性体の主な材質は鉄であり、また反磁性体の主な材質は蒼鉛が考えられる。
この断磁円盤を製作する簡単な方法としては、金属加工に多く用いられている切断砥石を作る要領で、粉砕された常磁性体材と反磁性体材を混ぜ、接着剤を加えて練り合わせ、円盤状に加工した網形線維材を芯にして成形加工する方法である。
【００１０】  発電コイルは従来の構造のものを用いても良いが、更に発電効率を高めるためにコイルの鉄芯に磁石を用いるものである。又、更に、このコイル周りを取り囲むように、リング状の磁石中に置くことで、磁束の通りが良くなり、発電効率を向上させる。断磁円盤４が盲の位置にある際は、コイル側の磁石は互いに反発しあっている状態であるが、断磁円盤４が磁束通過穴５の位置に来た際は、磁石１の磁束を引っ張り込むように働くため、コイルに掛かる磁束の変化が大きく働き、コイルの起電力を向上させる。
【符号の説明】
【００１１】  １  磁石
２  発電コイル
３  回転軸
４  断磁円盤
５  磁束通過穴
６  磁石
７  発電コイル
８  リング状磁石
９  網形線維材
１０  混合物
１１  プーリー
１２  磁石固定金具
１３  フライホイール
【図１】
2018110480.tif 000003
【図２】
2018110480.tif 000004
【図３】
2018110480.tif 000005
【図４】
2018110480.tif 000006
【図５】
2018110480.tif 000007
【図６】
2018110480.tif 000008
(57)【要約】【課題】飲料を入れるタンブラーやコップなどの容器は、絵を描くか彫刻を施すしか装飾をすることができなかった。しかし飲料が透明であればディスプレーの映象を容器の底から透視できると考えるに至った。【解決手段】この考えを実現させるために、スマホなどのデータを受信して映像化するディスプレーをタンブラーの底に密着させて、その映像を飲料液の上からでも透視できるようにしたのである。【選択図】図１
2018110820.tif 000002
【特許請求の範囲】
【請求項１】
飲料を入れる容器のタンブラー１に、ディスプレー５を装着した容器３をねじ山２、４で嵌合させて密着させ、ディスプレー５の映像をタンブラー１の底部に映し出すことを特徴とした、飲料を入れる容器。
【発明の詳細な説明】
【技術分野】
【０００１】この発明は、透明な液体飲料を飲むときの容器にディスプレーを密着させて、スマホなどからのデータを視認できるようにしたものである。
【背景技術】
【０００２】従来、タンブラーやコップは、彫刻やペイントで装飾を施した単なる液体容器でしかなかった。
【発明の概要】
【発明が解決しようとする課題】
【０００３】この静的な装飾を動的なしかも自在に変更できる装飾として、タンブラー１の底にディスプレー５を密着させ、そこにスマホなどから映像などのデータを送って変化のある楽しみを享受しようとしたものである。
【課題を解決するための手段】
【０００４】スマホなどのデータを受信するディスプレー５を容器３に装着して、それをタンブラー１の底部にねじ山２と４によって嵌合密着させて、ディスプレー５の映像をタンブラー１の上から目視できるようにしたものである。
【発明の効果】
【０００５】飲料を入れておくだけだったタンブラーなどの容器に、動画やメッセージが映りだされれば革命的な楽しみや利便性が生まれるのである。
【図面の簡単な説明】
【０００６】
【図１】タンブラー１の斜視図である。
【図２】ディスプレー５の斜視図である。
【図３】ディスプレー５を入れる容器３の斜視図である。
【符号の説明】
【０００７】１  タンブラー
２  タンブラーのねじ山
３  ディスプレーを入れる容器
４  容器内面のねじ山
５  ディスプレー
【図１】
2018110820.tif 000003
【図２】
2018110820.tif 000004
【図３】
2018110820.tif 000005
(57)【要約】【課題】  従来の草むしり作業は、暑さの中、麦藁帽子等の日除けはあるがすべて頭と顔だけで、日影の場所以外は、身体全体を直射日光から防ぐことはできなかった。  本発明は、草むしり作業等、暑い日に長時間身体をあまり動かさない状態の仕事に使用する、日除け椅子を提供する。【解決手段】  椅子（５）の一端に傘（１）の傘の柄（２）に高さを伸ばすつなぎ柄（３）を設け、柄（３）に高さを調整する止め具（４）を設け、柄（３）の先端を立て、挿入できる突起（７ａ）、突起（７ｂ）を椅子（５）の脚（６ａ）、脚（６ｂ）に固定して設け、椅子（５）と傘（１）を組立式に一体化できる草ムシリ用日除け椅子。【選択図】図１
2018110816.tif 000002
【特許請求の範囲】
【請求項１】
椅子（５）の一端に傘（１）の傘の柄（２）に高さを伸ばすつなぎ柄（３）を設け、柄（３）に高さを調整する止め具（４）を設け、柄（３）の先端を立て、挿入できる突起（７ａ）、突起（７ｂ）を椅子（５）の脚（６ａ）、脚（６ｂ）に固定して設け、椅子（５）と傘（１）を組立式に一体化できる草ムシリ用日除け椅子。
【請求項２】
突起（７ａ）突起（７ｂ）を挿入穴（８ａ）、挿入穴（８ｂ）に請求項１の組立式に一体化できる草ムシリ用日除け椅子。
【発明の詳細な説明】
【技術分野】
【０００１】  本発明は、たとえば、夏の暑い直射日光を防ぎ、長時間の草むしり作業のため、熱中症の予防と、腰を掛けたまま、楽な姿勢で作業ができる草むしり作業用、日除け椅子に関するものである。
【背景技術】
【０００２】  従来より、日除けのため、麦藁帽子等、多くの帽子があった。
しかし、ベロが広い物でも頭、顔の部分は直射日光を防げるが、両肩から下の身体全体では、約８０パーセントは直射日光にさらされ、暑さを我慢しながら仕事をしていた。
さらに、草ムシリ作業は、雑草を根元からむしり取る作業のため、腰を曲げたり、片膝を地面に付きながら姿勢を変え、関節の痛みと、疲労を防ぎながら作業をしていた。
【先行技術文献】
【特許文献】
【０００３】
【特許文献１】登録実用新案第３１０８１０５号公報
【特許文献２】特開平１１−１８８８０号公報
【発明の概要】
【発明が解決しようとする課題】
【０００４】  近年、真夏の暑さは、３７〜３８度の猛暑が珍しくない。
従来の麦藁帽子等を被っても頭と顔だけは直射日光を防げるが、身体の全体で感じる暑さを防ぐことはできなかった。
しかも、雑草を一本一本根元からムシリ取る作業のため、手間がかかり、長時間暑さの中で仕事をするため熱中症にかかり易く大きな欠点であった。
また、腰の痛み、筋肉の痛みと疲れで大変な作業であった。
このため、足腰を屈伸させたり、地面に直にお尻を付けて、座ったりしながら作業を続けていた。
本発明は以上のような問題点を解決するものである。
【課題を解決するための手段】
【０００５】  椅子（５）の一端に傘（１）の傘の柄（２）に高さを伸ばすつなぎ柄（３）を設け、柄（３）に高さを調整する止め具（４）を設け、柄（３）の先端を立て、挿入できる突起（７ａ）、突起（７ｂ）を椅子（５）の脚（６ａ）、脚（６ｂ）に固定して設け、椅子（５）と傘（１）を組立式に一体化できる草ムシリ用日除け椅子。
他の実施例は、突起物（７ａ）（７ｂ）を挿入穴（８ａ）、挿入穴（８ｂ）に請求項１の組立式に一体化できる草ムシリ用日除け椅子。
【発明の効果】
【０００６】  低い椅子に腰を掛けて草ムシリ作業をすると、従来、腰を曲げてやった作業より楽な姿勢のため疲れにくく、足腰の筋肉の痛みも少なく、長時間の作業に大きな効果がある。
また、大きな傘を開いて、その下で作業ができるため、日影になり、全身を直射日光から、防ぎ熱中症の予防に大きな効果がある。
【図面の簡単な説明】
【０００７】
【図１】  本発明の傘（パラソル）を開いて立てた状態を示した分解斜視図である。
【図２】  本発明の他の実施例を示した分解斜視図である。
【発明を実施するための形態】
【０００８】  以下、本発明の実施の形態について説明する。
椅子（５）の一端に傘（１）の傘の柄（２）に高さを伸ばすつなぎ柄（３）を設け、柄（３）に高さを調整する止め具（４）を設け、柄（３）の先端を立て、挿入できる突起（７ａ）、突起（７ｂ）を椅子（５）の脚（６ａ）、脚（６ｂ）に固定して設け、椅子（５）と傘（１）を組立式に一体化できる草ムシリ用日除け椅子。
以下、本発明の実施の形態について、さらに詳しく説明する。
（イ）傘（１）の柄（３）は、筒状のパイプであるため、その中に簡単に挿入できる円柱    状の高さ、約１０センチ程度の堅い物質の突起（７ａ）、突起（７ｂ）を垂直に、脚    （６ａ）、脚（６ｂ）の先端に立てて固定して設け、それに傘の柄（３）を被せて立    てれば、傘（１）と椅子（５）が簡単に組み立て一体化できる構造である。
（ロ）椅子（５）の脚（６ａ）、脚（６ｂ）に傘（１）の柄（３）の先端を垂直に立てて    挿入穴（８ａ）、挿入穴（８ｂ）を設け、簡単に差し込むだけで傘（１）と椅子（５    ）が組み立て、一体化できる構造である。
（ハ）椅子（５）は大人が腰を下ろして座るお尻の面積とほぼ同じ面積で、小さく高さも    １０センチ程度で、丈夫で軽い樹脂、または、プラスチック、軽合金、木材で傘（１    ）と一体にしても簡単に持ち運びできる構造である。
（ニ）太陽光線の角度により、傘（１）の位置による直射日光を防ぐため、椅子（５）の    左右の脚（６ａ）、脚（６ｂ）のどちらかの確率の高い傘の柄に挿入する突起（７ａ    ）、傘の柄に挿入する突起（７ｂ）、または、挿入穴（８ａ）、挿入穴（８ｂ）に挿    入して組み立て、仕事ができる構造である。
（ホ）この構造による傘（１）と椅子（５）を一体化すれば、傘（１）が大きく高い位置    で、椅子（５）は小さくて軽いため、倒れ易いが、作業者が腰を下ろすため、５０キ    ログラム前後の体重圧力で椅子（５）を地面に抑え付けるため、風が吹いても倒れる    心配はない。
（ヘ）作業中の移動は、片手を地面に突き、腰を浮かせてから、椅子（５）の一端を持ち    、草をムシッた場所から、ムシろうとする場所に、滑らせるように、日除け椅子（５    ）を前向きに簡単に移動できる。
本発明は以上の構成で、これを使用するときは、草をムシろうとする場所に椅子（５）を置き、傘（１）を広げて椅子（５）に腰掛け、挿入穴（８ａ）、挿入穴（８ｂ）に挿入するか、または、突起（７ａ）、突起（７ｂ）に被せて組立てれば、作業が開始できる。
そして、０．５平方メートル〜１平方メートルの草ムシリができたら移動して、さらに、新たな雑草をムシり取るため、片手を地面に突き、身体を浮かせて椅子（５）の一部、または、突起（７ａ）、突起（７ｂ）を持って、前向きに滑らせるように移動させれば、傘を立てたまま、軽量のため簡単に移動ができる。
そして、移動した場所の雑草をムシり取ることができ、その連続で広い場所の草ムシリ作業ができる。
【符号の説明】
【０００９】１  傘（パラソル）
２  傘の柄
３  高さを伸ばすつなぎ柄
４  高さを調整する止め具
５  椅子
６ａ  脚
６ｂ  脚
７ａ  傘の柄に挿入する突起
７ｂ  傘の柄に挿入する突起
８ａ  傘の柄を立てて挿入する穴
８ｂ  傘の柄を立てて挿入する穴
【図１】
2018110816.tif 000003
【図２】
2018110816.tif 000004
(57)【要約】      （修正有）【課題】突起がついた基板を指先に装着させ、指圧効果を高めると共に、装着性に優れることで日常使用の利便性を高め、頭皮をはじめとする身体の指圧マッサージを行なう指圧補助具を提供する。【解決手段】本発明は、柔軟な弾性材料からなる押し板１０と突起物１１と、指先に固定する固定リング１２を備えており、どの指にでも装着性に優れた指圧補助具を提供することにより、上記目的を達成したものである。【選択図】図１
2018110825.tif 000002
【特許請求の範囲】
【請求項１】
指の力を伝える突起を有する押し板とそれを指に固定するための装着リングからなる指圧補助具で指の腹から第一関節にかけて押し板の面と指が接するように押し板の一部にを傾斜を設けたことを特徴とする指圧補助具。
【請求項２】
請求項１に記載の装着リングは分割されており、指の太さに柔軟に対応したことを特徴とする指圧補助具。
【発明の詳細な説明】
【発明の詳細な説明】
【技術分野】
【０００１】  本発明は、頭皮をはじめとする身体の指圧マッサージを行う際、突起がついた基板を指先に装着させる指圧補助具で、指の太さへの柔軟性を向上させた装着リングを特徴とするものである。
【背景技術】
【０００２】  頭皮をはじめとする身体のマッサージは、疾病の予防並びに治療を目的に、全身に定められたツボと呼ばれる指圧点を押圧し、その圧反射により生体機能に作用させ、本来人間の身体に備わっている自然治癒力の働きを促進させ、または、血液の流れを促進して、疲労の回復や予防を図ることが知られている。
【発明が解決しようとする課題】
【０００３】  しかしながら、このようなマッサージは、指先で行われることが多いが次のような課題があった。
（イ）指先で指圧すると圧力が分散し、小さいつぼに入りづらい。
（ロ）器具を用いると指先を使わないため、指圧効果が得られない。
【０００７】  本発明は、指圧効果を高めると共に、どの指にも装着性に優れることで日常使用の利便性を高め、つぼなどへのマッサージを効果的に行うことのできる指圧補助具を提供することを目的とする。
【課題を解決するための手段】
【０００８】  本発明は、柔軟な弾性材料からなる押し板１０と突起物１１と、指先に固定する固定リング１２を備えており、どの指にでも装着性に優れた指圧補助具を提供することにより、上記目的を達成したものである。
【発明の効果】
【０００９】  本発明の指圧補助具によれば、押圧部の形状、硬さにより、指先の感覚を損なわず、頭皮をはじめとする全身に定められたツボを効果的かつ効率的に押圧することができ、その圧反射作用によって生体機能に作用させると共に、優れた装着性により、日々の継続的な実施が容易となり、本来人間の備わっている自然治癒力の働きを促進させることが期待できる。
【図面の簡単な説明】
【図１】本発明の斜視図
【図２】指圧補助具の三面図である。
【図３】指圧補助具の装着図である。
【発明を実施するための形態】
【００１０】図１及び図２に示す指圧補助具は、固定リング１２に使用者が適した指（人差し指〜小指または親指）に装着した状態で（図３参照）、突起物１１をつぼなど（図示せず）に押し付け、指圧の応力を押し板１０を介してマッサージを効果的に行える。また指圧補助具は、押し板１０が指の腹の形状に合わせた形状になっており、突起物１１の位置が安定することにより定められたツボを効果的かつ効率的に指圧しマッサージを行える。
【００１１】  指圧補助具は、柔軟な弾性材料として、例えば軟質ポリエチレン樹脂等を用いて一体成形されている。これによって固定リング１２をスムースに弾性変形させることが可能になり、様々な指の太さに対応することが出来る。
【符号の説明】
【００１２】０
１０  押し板
１１  突起物
１２  固定リング
【図１】
2018110825.tif 000003
【図２】
2018110825.tif 000004
【図３】
2018110825.tif 000005
(57)【要約】【課題】浴室の天井の水を除去することは、多くの方法では肩まで水が垂れて来てしまうため、非常に手間のかかる清掃作業であり、大掛かりな設備や道具を用意する必要があった。  本発明は、浴室の天井に付着した水滴を気軽に効率よく除去するための、歪曲スクイジーを提供する。【解決手段】払拭ブレードを水が集中して流れ落ちる三角形状にし、流れ落ちる水が伝って来ないように上方へ歪曲したハンドルを設けた歪曲スクイジー。【選択図】図１
2018110822.tif 000002
【特許請求の範囲】
【請求項１】
払拭ブレードから流れ落ちる水が伝って来ないよう、一度上方へ歪曲した取っ手を設けた歪曲スクイジー。
【発明の詳細な説明】
【技術分野】
【０００１】  本発明は、浴室等湿気の多い屋内にて天井に付着した水滴を除去するものである。
【技術背景】
【０００２】  従来、浴室の天井の水滴を除去する効率的な方法が存在しなかった。
なお、天井用の水切りが付随する清掃道具や、浴室用乾燥機によって除去することが知られている。
【先行技術文献】
【特許文献】
【０００３】
【特許文献１】
【発明の概要】
【発明が解決しようとする問題】
【０００４】  浴室の天井の水を除去することは、多くの方法では肩まで水が垂れて来てしまうため、非常に手間のかかる清掃作業であり、大掛かりな設備や道具を用意する必要があった。
本発明は、以上の問題点を解決するためになされたものである。
【課題を解決するための手段】
【０００５】  ブレードから一度上方へ歪曲した取っ手によって構成される歪曲スクイジー。
【発明の効果】
【０００６】  従来、服が濡れてしまうために手間の掛かる清掃作業となっていた浴室天井に付着した水滴の除去を、非常に気楽かつ簡単に行えるようになった。
本発明は、天井だけでなく壁に付着した水滴を除去することもできる。
【図面の簡単な説明】
【０００７】
【図１】本発明品の側面図
【図２】本発明品の正面図
【発明を実地するための形態】
【０００８】  以下、本発明の実地の形態を説明する。
（イ）三角形の払拭ブレード（１）に、上方へ歪曲した取っ手（２）を設ける。
（ロ）その際、払拭ブレード（１）が使用者の左上を向くように取っ手（２）を設ける。
（ハ）取っ手（２）は一度上方へ曲がり、その先で再び使用者の手前下方向へ曲がって伸びた形状にする。
本発明は以上のような構造である。
本発明を使用する時は、取っ手（２）を持って浴室の天井に払拭ブレード（１）を当てる。取っ手（２）を正面に向けて持つと、払拭ブレード（１）が左上を向いた状態になるため、そのまま取っ手（２）を左右に動かすと、払拭ブレード（１）が天井の水滴を落とし、水が払拭ブレード（１）の下角から向かって右側に流れ落ちる。取っ手（２）は一度上方へ曲がっているため、払拭ブレード（１）から水が取っ手を伝って使用者の方へ流れてくることはない。
【符号の説明】
【０００９】  １払拭ブレード、２取っ手
【図１】
2018110822.tif 000003
【図２】
2018110822.tif 000004
(57)【要約】      （修正有）【課題】治療腰椎椎間板ヘルニアなどの腰椎疾患に使用する凹弧面と最高点で骨盤を正常な位置に持ってくる事ができ、なおかつ突起物で広背筋を刺激して筋肉を緩和することが出来る、骨盤背骨修正器を提供する。【解決手段】骨盤背骨修正器を長期的に使用することにより、人体の重力を通し脊椎のずれを有効に修正でき腰椎椎間板ヘルニア及び他の腰椎疾患を緩和する事が出来る。【選択図】図１
2018110828.tif 000002
【特許請求の範囲】
【請求項１】
骨盤と背骨を正常な位置と正常な彎曲になる為のカーブを用い、突起物を付けることにより広背筋を刺激して筋肉を緩和する矯正器具
【請求項２】
背骨又は骨盤に当てる側から傾斜になるように山高にし、片側に突起物を付け同じ位の傾斜で形成するが、反対に突起物を当てて刺激を強くして筋肉の緩和やつぼを刺激して効果をアップさせる事ができる。矯正器具を１８０度反対に使用する事も出来て、クッション材を付け刺激の強弱の調整をする事も出来る。
【発明の詳細な説明】
【技術分野】
【０００１】  本発明は主に背筋を伸ばしたり腰椎椎間板ヘルニアなど腰椎疾患の緩和に使用し、損傷した腰椎の矯正及び回復にも用いられるのである。
【背景技術】
【０００２】  従来の発明は腰痛の予防、脊椎矯正を目的としただけの効果の器具である。
【先行技術文献】
【特許文献】
【０００３】
【特許文献１】特開平１０−１３７２７５号
【発明の概要】
【発明が解決しようとする課題】
【０００４】  従来の型は器具に骨盤と背骨を乗せて矯正するものであり、つぼを刺激して血液の血行を良くしたり筋肉を緩和したり、こりをほぐす事が出来なかったと思われる。
【課題を解決するための手段】
【０００５】  従来の技術は牽引式脊椎矯正器具で脊椎の牽引を行った場合、脊椎のＳ字彎曲部を直線的に牽引する不都合があった。
【発明の効果】
【０００６】      骨盤を矯正器具に乗せる事により骨盤が立つ状態になり、正常な位置に持って行く形成になり、背骨を伸ばし正常な彎曲に持って来る為のカーブと突起物を付ける事により、広背筋を刺激して筋肉を緩和することができる。
【図面の簡単な説明】
【０００７】
【図１】本発明の実施形態の全体図である。
【図２】本発明の使用図である。
【発明を実施するための形態】
【０００８】  本考案は、寝姿にて骨盤と背骨と広背筋を刺激して腰痛等を治癒することを目的としたものである。本体は、３０ｃｍ〜５０ｃｍ内の長さであり、幅１２ｃｍ〜１６ｃｍで最高点が５ｃｍ〜８ｃｍ、突起物の位置は最高点から２ｃｍ〜５ｃｍの箇所と１０ｃｍ〜１４ｃｍの位置に設ける。幅に関しては骨盤と背骨を乗せる最適な幅となり、最高点に関しては５ｃｍ〜８ｃｍの高さがあればＳ字カーブに修正出来る。突起物は広背筋を刺激して無理なく背骨を正常な位置に持ってくる助けをする。本体の素材は木材、プラスチック、他で作り無理なくＳ字カーブを作る事が出来る。
【実施例】
【０００９】  器具を床に置いた状態で、器具の凸弧面の最高点の位置に腰椎の彎曲があたるように仰向けの状態で手を頭より上に伸ばし、手のひらを床に向ける。
使用時、腰椎前彎に完全にフィットするように器具の凸弧面の最高点を腰椎に当て、最大限変形した腰椎を矯正することができる。
【符号の説明】
【００１０】１  本体
２  凹弧面
３  最高点
４  凹弧面
５  突起物
【図１】
2018110828.tif 000003
【図２】
2018110828.tif 000004
(57)【要約】【課題】皮むきと千切りの調理をする時に、器具を持ち替えせずに調理できるピーラーを提供する。【解決手段】千切り用の刃３を設けた回転する軸６をピーラー本体１に取付け、軸６を回転させる事により、１つのピーラーで皮むきと千切りをできるようにする。【選択図】図２
2018110829.tif 000002
【特許請求の範囲】
【請求項１】
千切り用の刃を設けた軸を回転させる事により、皮むきと千切りを１つの器具でできるピーラー。
【発明の詳細な説明】
【技術分野】
【０００１】本発明は、千切り用の刃を回転する軸に設け、軸を回転させる事により、皮むきと千切りを１つのピーラーでできるようにしたものである。
【発明の概要】
【発明が解決しようとする課題】
【０００２】従来は皮むき用ピーラーと千切り用ピーラーは別の調理器具であり、皮むきをした後に千切りをしようとすると、器具を持ち替えて調理しなければならなかった。本発明は、この課題を解消するためになされたものである。
【課題を解消するための手段】
【０００３】千切り用の刃３を設けた回転する軸６をピーラー本体１に取付け、軸６を回転させる事により、１つの器具で皮むきと千切りをできるようにした。
【発明の効果】
【０００４】皮むきと千切りを１つの器具で行える事で、器具を持ち替えずに、皮むきの後、そのまま千切りが行えるものである。また、器具に２つの調理機能を持たせる事で収納場所も少なく済むようになる。
【図面の簡単な説明】
【０００５】
【図１】本発明で皮むきを行う状態の全体図である。
【図２】本発明で千切りを行う形状の全体図である。
【図３】本発明の皮むきと千切りの使用状態を示す斜視断面図である。
【発明を実施するための形態】
【０００６】以下、本発明の実施の形態について説明する。
図１は本発明の皮むきを実施する形態を示す。回転する軸６に設けた千切り用の刃３を、皮むき用の刃２の逆側にする事で、皮むき用の刃２だけが野菜に触れて、皮むきピーラーとして使用できる。
図２は本発明の千切りを実施する形態を示す。回転する軸６に設けた千切り用の刃３を、皮むきの用の刃２の側にする事で、皮むき用の刃２と千切り用の刃３が野菜に触れて、千切りピーラーとして使用できる。
【符号の説明】１．ピーラー本体
２．皮むき用の刃
３．千切り用の刃
４．千切り用の刃を設けた軸を回転させるためのツマミ
５．けが防止用カバー
６．千切り用の刃を設けた軸
【図１】
2018110829.tif 000003
【図２】
2018110829.tif 000004
【図３】
2018110829.tif 000005